(57)【特許請求の範囲】
【請求項１】
天井に設けられた埋込穴に固定した枠体に、光源を有する本体を支持する本体支持体を軸支し、
前記本体支持体に、前記本体の光源を装着するソケット部と、前記本体を前記枠体内に格納した状態、および、前記本体を前記枠体から引き出して天井面から突出させた状態の間で前記ソケット部をスライドするスライド機構とを設け、
前記スライド機構は、
前記ソケット部のスライドの固定位置を規定する位置決め部材と、
この位置決め部材に係合して前記ソケット部を固定位置に固定するとともに、前記本体に加えられる引き出し方向の力によって前記位置決め部材から外れる係合部と、
を備えたことを特徴とする照明器具。
【請求項２】
前記スライド機構に、前記ソケット部のスライド方向を規定するガイドを、前記本体の引き出し方向に対し斜めに形成したことを特徴とする請求項１に記載の照明器具。
【請求項３】
前記枠体は、前記埋込穴に固定される外枠と、前記本体を囲う内枠とを備え、
前記内枠を前記外枠に水平回転自在に支持したことを特徴とする請求項１又は２に記載の照明器具。
【請求項４】
前記本体のソケット部側の断面を楕円形に形成し、この楕円形の短軸を前記本体の首振り方向に一致させたことを特徴とする請求項１乃至３のいずれかに記載の照明器具。
【発明の詳細な説明】
【技術分野】
【０００１】
本発明は、照射方向を変更可能な照明器具に関する。
【背景技術】
【０００２】
従来、光源を有する本体を、天井に設けられた埋込穴に挿入するとともに、埋込穴に固定した枠体に鉛直方向に回転（首振り）自在に支持し、照射範囲を変更可能にした照明器具が知られている（例えば、特許文献１参照）。この照明器具では、枠体に本体の回転軸を設け、この回転軸を中心に本体を回転させることで、本体を天井内に格納した状態で首振りしている。
【先行技術文献】
【特許文献】
【０００３】
【特許文献１】特開２００９−２５９５５１号公報
【発明の概要】
【発明が解決しようとする課題】
【０００４】
しかしながら、上記従来の構成では、本体を天井内に格納した状態で首振りすることはできるが、本体を天井面から突出させた状態で首振りすることはできなかった。これに対し、例えば、伸縮自在なアーム等の先端に本体を首振り自在に固定し、アームを伸ばすことで、本体を天井面から突出させて首振りすることが考えられる。しかしながら、この構成では、アームを収容するスペース分だけ照明器具の全高や径が大きくなってしまう。
本発明は、上述した事情に鑑みてなされたものであり、小型化を図りつつ、本体を天井内に格納した状態と、天井面から突出させた状態の両方で首振り可能にした照明器具を提供することを目的とする。
【課題を解決するための手段】
【０００５】
上記目的を達成するために、本発明は、天井に設けられた埋込穴に固定した枠体に、光源を有する本体を支持する本体支持体を軸支し、前記本体支持体に、前記本体の光源を装着するソケット部と、前記本体を前記枠体内に格納した状態、および、前記本体を前記枠体から引き出して天井面から突出させた状態の間で前記ソケット部をスライドするスライド機構とを設け、前記スライド機構は、前記ソケット部のスライドの固定位置を規定する位置決め部材と、この位置決め部材に係合して前記ソケット部を固定位置に固定するとともに、前記本体に加えられる引き出し方向の力によって前記位置決め部材から外れる係合部と、を備えたことを特徴とする。
【０００６】
上記構成において、前記スライド機構に、前記ソケット部のスライド方向を規定するガイドを、前記本体の引き出し方向に対し斜めに形成してもよい。
【０００７】
上記構成において、前記枠体は、前記埋込穴に固定される外枠と、前記本体を囲う内枠とを備え、前記内枠を前記外枠に水平回転自在に支持してもよい。
【０００８】
上記構成において、前記本体のソケット部側の断面を楕円形に形成し、この楕円形の短軸を前記本体の首振り方向に一致させてもよい。
【発明の効果】
【０００９】
本発明によれば、天井に設けられた埋込穴に固定した枠体に、光源を有する本体を支持する本体支持体を軸支し、本体支持体に、本体の光源を装着するソケット部と、本体を枠体から引き出すようにソケット部をスライドするスライド機構とを設けたため、ソケット部自体がスライドされるので、別途にアーム等が不要となる。これにより、小型化を図りつつ、本体を天井内に格納した状態と、天井面から突出させた状態の両方で首振りすることができる。
【図面の簡単な説明】
【００１０】
【図１】本発明の実施の形態に係る照明器具を示す正面図である。
【図２】照明器具を示す縦断面図である。
【図３】照明器具を示す底面図である。
【図４】照明器具の分解斜視図を前方左側から示す図である。
【図５】照明器具の分解斜視図を後方右側から示す図である。
【図６】フードを示す斜視図である。
【図７】スライド機構を示す斜視図である。
【図８】スライド機構の動作を説明する図である。
【図９】本体を傾斜させたときの照明器具を示す縦断面図である。
【図１０】本体を首振りして天井から突出させたときの照明器具を示す正面図である。
【図１１】本体を首振りして天井から突出させたときの照明器具を示す縦断面図である。
【図１２】本体を首振りして天井から突出させたときの照明器具を示す底面図である。
【図１３】本体を首振りしたときの照明器具を示す正面図である。
【図１４】本体を首振りしたときの照明器具を示す縦断面図である。
【図１５】本体を首振りしたときの照明器具を示す底面図である。
【図１６】本発明の変形例に係るスライド機構を示す簡略図である。
【図１７】本発明の変形例に係る照明器具を示す縦断面図である。
【図１８】図１７の照明器具を示す底面図である。
【発明を実施するための形態】
【００１１】
以下、図面を参照して本発明の実施の形態について説明する。
図１は実施の形態に係る照明器具を示す正面図であり、図２は照明器具を示す縦断面図であり、図３は照明器具を示す底面図である。図４は照明器具の分解斜視図を前方左側から示す図であり、図５は照明器具の分解斜視図を後方右側から示す図である。図６は、フードを示す斜視図である。なお、説明中、前後左右及び上下といった方向は、図１に示す照明器具を正面側から見た方向に従うものとする。
照明器具１は、天井２に設けた円形の埋込穴２Ａに埋め込まれるダウンライト等の照明器具であり、図１〜図５に示すように、大別して、埋込穴２Ａに固定される枠体１０と、枠体１０内に配置される本体２０と、本体２０を支持する本体支持体３０とを備えて構成されている。
【００１２】
枠体１０は、例えば樹脂を用いて形成され、埋込穴２Ａに嵌め込まれる略環状の外枠１１に、略碗状の内枠１２を嵌合して構成されている。外枠１１には、照明器具１を天井２に埋め込んだ状態に支持する複数（本実施の形態では、３つ）の取付金具１３が周方向に等間隔に設けられている。
内枠１２は、下面開放型の大略椀状に形成されており、外枠１１に対し水平方向（埋込穴２Ａの周方向）に回動自在に構成されている。内枠１２には、本体２０の上部が挿通されるとともに本体２０の首振りを許容する首振り許容孔１４が形成されている。首振り許容孔１４は、内枠１２の頂部から延出し、その下端１４Ａは外枠１１近傍に形成されている。また、内枠１２には、首振り許容孔１４に対向して切り欠き部１５が形成されており、この切り欠き部１５に、本体２０の首振り角度を調整するためのラチェット機構４０が配置されている。
【００１３】
ラチェット機構４０は、略帯状のラチェット４１と、このラチェット４１と係合する板ばね４２と備えて構成されている。ラチェット４１は、本体支持体３０に設けられ、内枠１２に略沿うように湾曲して延出しており、その内側には、複数の歯４１Ａがラチェット４１の延出方向に配列されている。板ばね４２は、例えば一枚の金属板を内枠１２の形状にほぼ沿うように湾曲させて形成され、一端が内枠１２に固定されている。板ばね４２の他端には、金属板の先端部を略くの字状に折り曲げて形成した爪４２Ａが設けられている。爪４２Ａは、板ばね４２の付勢力によってラチェット４１に向けて付勢されている。
さらに、内枠１２には、首振り許容孔１４及び切り欠き部１５に直交するように、一対のねじ孔１６（図１１参照）が形成され、各ねじ孔１６に、本体支持体３０を回動自在に支持するねじ１７が螺合される。このねじ１７が本体支持体３０の回転軸Ｃとなる。
【００１４】
本体２０は、ランプ（光源）２１と、このランプ２１の光を反射する反射鏡２２と、これらのランプ２１及び反射鏡２２を覆うフード２３とを備えている。本実施の形態のランプ２１には、例えば、ＨＩＤ（High Intensity Discharge lamp：高輝度放電ランプ）ランプであって、棒状に延びる膨らみを有する直管形のランプが用いられている。
反射鏡２２は、例えばアルミニウム等の高反射率を有する金属材をプレス成形等により下面開放型の大略椀状に形成して構成され、その内面には、略回転放物面形状の反射面２２Ａが形成されている。この反射鏡２２の下端開放面側からランプ２１を挿入することで、反射鏡２２がランプ２１に挿着され、反射鏡２２はフード２３に支持されている。
フード２３は、円筒状の下端部２４と、この下端部２４から略円錐状に延出する中間部２５とを連結するとともに、中間部２５に楕円筒状の上端部２６を一体形成して構成されている。フード２３は、図２及び図６に示すように、上端部２６の短軸Ｓ１が本体２０の首振り方向（図２では、左右方向）に一致するように配置されている。フード２３の上端部２６には、本体支持体３０に支持される一対の支持片２７が一体に設けられ、支持片２７の先端にはそれぞれねじ穴２７Ａが形成されている。
【００１５】
本体支持体３０は、図１及び図２に示すように、上面及び下面を開放する略角筒状のアングル部３１を備えている。アングル部３１は、前後に２分割して形成されており、前アングル３１Ｆ及び後アングル３１Ｒを有している。アングル部３１の前面３１Ａ及び後面３１Ｂには、それぞれアーム３２が取り付けられ、各アーム３２の一端はアングル部３１の下部に固定され、他端はねじ１７によって内枠１２に回動自在に支持されている。アングル部３１の左面３１Ｃには、ラチェット機構４０のラチェット４１が一体に形成されている。
アングル部３１の内側には、ランプ２１が装着されるソケット部（装着部）３３が配置されており、このソケット部３３は、ランプ２１に電気的に接続されるソケット３４と、このソケット３４をアングル部３１に支持するソケット金具３５とを備えている。ソケット３４には、ランプ２１に電源を供給する電線３６が接続されている。ソケット金具３５には、前後一対の固定孔３５Ａが形成されており、ボルト３７を固定孔３５Ａに挿通するとともに、フード２３の支持片２７（図６）に形成されたねじ穴２７Ａ（図６）に螺合することで、フード２３がソケット金具３５に固定される。
また、アングル部３１の内側には、ソケット金具３５をスライドするスライド機構５０が設けられている。以下、このスライド機構５０について詳細に説明する。
【００１６】
図７はスライド機構５０を示す斜視図であり、図８はスライド機構５０の動作を説明する図である。なお、図７では、ソケット金具３５の上部が省略されている。
スライド機構５０は、図２及び図７に示すように、アングル部３１の前面３１Ａ及び後面３１Ｂのそれぞれに対向するように設けられている。各スライド機構５０は、ソケット金具３５を挟んでスライド方向を規定する一対のガイド５１と、これら一対のガイド５１間に当該ガイド５１に沿って複数段（本実施の形態では、７段）形成され、ソケット金具３５のスライドの固定位置を規定する一対の丸穴（位置決め部材、溝）５２と、丸穴５２に係合する一対の係合部５３と、係合部５３をソケット金具３５内に保持する一対の保持溝５４とを備えて構成されている。
【００１７】
一対のガイド５１は、本体２０の引き出し方向（本実施の形態では、鉛直方向）に対し斜めに形成されており、互いに平行に延在している。各係合部５３は、丸穴５２に係合するボール（係合子）５５と、このボール５５を丸穴５２に向けて付勢して係合させるコイル状のスプリング５６とを備えている。これらのボール５５及びスプリング５６は、耐熱性に優れた素材、例えば金属を用いて形成されている。このように、係合部５３を比較的構造が簡単なボール５５及びスプリング５６で構成するとともに、これらのボール５５及びスプリング５６を金属で形成したため、係合部５３を安価に製造することができる。なお、これらの本体２０及びソケット部３３が灯体部６０（図２参照）を構成している。
ソケット金具３５は、斜めに形成されたガイド５１に沿うように、正面視で平行四辺形に形成されている。ソケット金具３５の前部及び後部には、円柱状にくり抜かれた保持溝５４が一対ずつ形成されており、ボール５５は保持溝５４の端部側に配置され、スプリング５６は保持溝５４の端面５４Ａ側に配置される。したがって、ソケット金具３５は、片側一対ずつの係合部５３によって、すなわち、合計４組のボール５５及びスプリング５６によって固定位置に固定されることとなる。また、ソケット金具３５は、アングル部３１の前面３１Ａ及び後面３１Ｂに挟持されているため、ソケット金具３５とアングル部３１との摩擦力、及び、４つのスプリング５６の付勢力によって固定される。
【００１８】
ソケット金具３５に略鉛直方向の力が加えられると、ボール５５がアングル部３１の前面３１Ａ及び後面３１Ｂによって保持溝５４内に押し込まれ、ボール５５がスプリング５６の付勢に抗して丸穴５２から外れて、図８に示すように、ソケット金具３５がガイド５１に沿ってスライドする。アングル部３１の前面３１Ａ及び後面３１Ｂには、それぞれ一対の丸穴５２が複数段（７段）形成されているため、ソケット金具３５のスライドの固定位置は段階的に変更される。
【００１９】
次に、照明器具１の動作について説明する。
図９は、本体２０を傾斜させたときの照明器具１を示す縦断面図である。図１０〜図１２は、本体２０を首振りして天井面２Ｂから突出させたときの照明器具１を示す図である。図１３〜図１５は、本体２０を枠体１０に格納した状態で首振りしたときの照明器具１を示す図である。
本体２０を引き出す際には、まず、図２に示すように、例えばフード２３内に指等を挿入し、フード２３にＸ方向の力を加える。ここで、ソケット金具３５は、斜めに形成されたガイド５１に沿うように正面視で平行四辺形に形成されており、平行四辺形の一の対角線が一対のガイド５１間の距離Ｌ（図９参照）よりも短いため、ソケット金具３５は一対のガイド５１間内でＹ方向に回転可能である。したがって、フード２３にＸ方向の力が加えられると、ソケット金具３５がＹ方向に回転しようとするので、一対のボール５５のうち、一方側（例えば、図２の右側）のボール５５がスプリング５６の付勢に抗して丸穴５２から外れる。これにより、図９に示すように、ソケット金具３５が、他方側（例えば、図９の左側）のボール５５を中心にして、一対のガイド５１間内でＹ方向に回転し、本体２０が枠体１０に対して傾斜する。また、ソケット金具３５は、斜めに形成されたガイド５１に沿うように正面視で平行四辺形に形成されているため、Ｙ方向と反対方向には回転しない。すなわち、ソケット金具３５は、その自重により一対のガイド５１間でＹ方向と反対方向に回転してしまうことがないように構成されている。
【００２０】
これにより、一方側（右側）に位置する内枠１２とフード２３との間の隙間δが大きくなり、内枠１２とフード２３との間にフード２３を指で掴めるだけのスペースが確保される。フード２３を掴むためには、内枠１２とフード２３との間に最低１０ｍｍ程度の隙間が必要であるが、本実施の形態では、図２に示すように、フード２３の両側の隙間δの寸法の合計が１０ｍｍ以上、すなわち、本体２０の本体径Ｄ１と内枠１２の開口径Ｄ２との差が１０ｍｍ以上（Ｄ２−Ｄ１≧１０ｍｍ）であればよいので、本体２０を内枠１２に対し比較的大きく形成することができる。
また、本体２０の枠体１０に対する傾斜に伴って、一方側のボール５５が丸穴５２から外れ、ソケット金具３５を固定する箇所が４点から２点に減少するので、比較的弱い力で本体２０を枠体１０から引き出すことができる。図９には、枠体１０から引き出した状態の本体２０を二点差線で示す。
【００２１】
そして、フード２３を掴んだまま本体２０を引き出し続けると、本体２０の一方側（右側）が内枠１２に形成した首振り許容孔１４の下端１４Ａに当接し、本体支持体３０がねじ１７を回転軸Ｃとして回転し、本体２０が首振りする。照明器具１には、ラチェット機構４０が設けられているため、本体支持体３０の回転に伴い、板ばね４２の爪４２Ａはラチェット４１の複数の歯４１Ａを乗り越える。これにより、ラチェット４１の歯４１Ａ毎に本体支持体３０の角度を調節することができる。
【００２２】
本体２０を最大首振り角度θまで首振りするとともに、最大突出量Ａｍａｘまで突出させた照明器具１を図１０〜図１２に示す。これらの図に示すように、本実施の形態では、本体２０を最大首振り角度θまで首振りした状態から、本体２０の下端部２４を枠体１０から突出させることができるので、枠体１０によってランプ２１の光が遮光されることを防止できる。従来では、本体を枠体内に格納した状態で首振りしていたため、長いランプを用いる場合には、枠体の径を大きくせざるを得なかったが、本実施の形態では、本体２０を枠体１０から突出させた状態で首振り可能にしたため、枠体１０の径を大きくすることなく、長いランプ２１を用いることも可能である。
また、本体２０を最大突出量Ａｍａｘまで突出しても、ソケット部３３が枠体１０から突出しないので、電線３６等の露出を防止するためにソケット部３３の周りを覆う必要がなくなり、温度上昇を抑制できる。
【００２３】
また、フード２３は、図６及び図１１に示すように、ソケット部３３側の上端部２６の断面が楕円形になるように形成されるとともに、楕円形の短軸Ｓ１を本体２０の首振り方向に一致するように配置されるため、本体２０の上端部２６が首振り方向に対し小さく形成されることとなり、本体２０の首振り角度を大きくすることができる。本実施の形態では、図１０に示すように、最大首振り角度θを３５°以上に設定することができる。また、図６に示すように、本体２０の上端部２６の開口が楕円形の長軸Ｓ２方向に広くなるので、本体２０の放熱性能が向上する。
本実施の形態では、図１３〜図１５に示すように、本体２０を最大首振り角度θまで首振りした状態から、本体２０を枠体１０内に押し入れることもできる。すなわち、本体２０は、ラチェット機構４０によって調整される全ての首振り角度において、枠体１０に遮光されないスライドの固定位置に固定されることが可能である。さらに、内枠１２は外枠１１に水平回転自在に支持されているため、鉛直方向だけでなく、水平方向にも照射範囲を変更でき、照射方向の自由度が向上する。
【００２４】
このように構成された照明器具１では、図１０及び図１３に示すように、本体２０を最大首振り角度θに首振りした場合には、図１０に示す最大突出量Ａｍａｘ時における照明器具１の天井面２Ｂからの埋込高さＨ１と、図１３に示す最小突出量Ａｍｉｎ時における照明器具１の埋込高さＨ１とが同一となっている。また、図１０に示す最大突出量Ａｍａｘ時における照明器具１の埋込穴２Ａからの張出幅Ｗと、図１３に示す最小突出量Ａｍｉｎ時における照明器具１の張出幅Ｗとが同一となっている。したがって、本体２０を最大首振り角度θに首振りした状態から、埋込高さＨ１や張出幅Ｗを大きくすることなく、本体２０の突出量を変更することができる。
【００２５】
また、照明器具１は、図２に示すように、本体２０の本体径Ｄ１を埋込穴２Ａの埋込穴径Ｄ３の０．６倍以上（Ｄ１／Ｄ３≧０．６）になるように構成されている。すなわち、本体径Ｄ１を埋込穴径Ｄ３に対し比較的大きく形成することができるので、器具効率を確保することができる。
さらに、照明器具１は、灯体部６０の灯体高さＨ２が埋込穴２Ａの埋込穴径Ｄ３の０．９倍以上（Ｈ２／Ｄ３≧０．９）になるように構成されている。したがって、本実施の形態では、Ｄ１／Ｄ３≧０．６及びＨ２／Ｄ３≧０．９を満たす照明器具１において、本体２０を天井２内に格納した状態と、天井面２Ｂから突出させた状態の両方で首振り角度を３５°以上にすることができる。
【００２６】
以上説明したように、本実施の形態によれば、天井２に設けられた埋込穴２Ａに固定した枠体１０に、ランプ２１を有する本体２０を支持する本体支持体３０を軸支し、本体支持体３０に、本体２０のランプ２１を装着するソケット部３３と、本体２０を枠体１０から引き出すようにソケット部３３をスライドするスライド機構５０とを設ける構成とした。この構成により、ソケット部３３自体がスライドされるので、別途にアーム等を設ける必要がなくなり、小型化を図りつつ、本体２０を天井２内に格納した状態と、天井面２Ｂから突出させた状態の両方で首振りすることができる。
【００２７】
また、本実施の形態によれば、スライド機構５０に、ソケット部３３のスライド方向を規定するガイド５１を、本体２０の引き出し方向に対し斜めに形成する構成とした。この構成により、ガイド５１を本体２０の引き出し方向沿って形成する場合に比べ、スライド機構５０の長さを短くすることができる。
【００２８】
また、本実施の形態によれば、枠体１０は、埋込穴２Ａに固定される外枠１１と、本体２０を囲う内枠１２とを備え、内枠１２を外枠１１に水平回転自在に支持する構成とした。この構成により、鉛直方向だけでなく、水平方向にも照射範囲を変更できるので、照射方向の自由度が向上する。
【００２９】
また、本実施の形態によれば、本体２０のソケット部３３側の断面を楕円形に形成し、この楕円形の短軸Ｓ１を本体２０の首振り方向に一致させる構成とした。この構成により、本体２０の上端部２６が首振り方向に対し小さく形成されることとなるので、本体２０の首振り角度を大きくすることができる。また、本体２０の上端部２６の開口が楕円形の長軸Ｓ２方向に広くなるので、本体２０の放熱性能が向上する。
【００３０】
但し、上記実施の形態は本発明の一態様であり、本発明の趣旨を逸脱しない範囲において適宜変更可能であるのは勿論である。
例えば、上記実施の形態では、ソケット金具３５の全体を平行四辺形に形成していたが、一対のガイド５１に挟まれる部分だけを平行四辺形に形成してもよい。
また、上記実施の形態では、ガイド５１を本体２０の引き出し方向に対し斜めに形成するとともに、ソケット金具３５を正面視で平行四辺形に形成したが、図１６に示すように、スライド機構１５０のガイド１５１を鉛直方向に沿って設けてもよい。この場合、ソケット金具１３５の一対のガイド１５１に接する部分の一方又は両方にテーパ１３５Ａを形成すればよい。
【００３１】
また、上記実施の形態では、光源としてランプ２１を設けているが、これに限定されず、図１７及び図１８の照明器具１００に示すように、光源としてＬＥＤ１２１を設けてもよい。この場合、本体１２０は、ＬＥＤ基板１２８に実装されるＬＥＤ１２１と、これらＬＥＤ１２１及びＬＥＤ基板１２８を覆うとともにＬＥＤ基板１２８を支持するカバー１２２と、このカバー１２２を覆うフード２３とを備えるように構成すればよい。カバー１２２は、フード２３に固定されており、ＬＥＤ基板１２８の上方及び側方を覆うカバー本体１２２Ａと、ＬＥＤ基板１２８の下方を覆う下側カバー１２２Ｂとを有している。下側カバー１２２Ｂには、ＬＥＤ１２１を露出するように切り欠いた開口部１２２Ｂ１が形成され、この開口部１２２Ｂ１からＬＥＤ１２１の光が放射される。なお、本体支持部１３０は、フード２３を介してＬＥＤ１２１が装着されるソケット部（装着部）３３を備え、このソケット部３３はソケット金具３５を有するものの、ソケットを必要としない。
【００３２】
また、上記実施の形態では、溝を丸穴とし、係合子をボールとして説明したが、これらの溝及び係合子は互いに係合可能であれば任意の形状に形成することができる。また、係合子とスプリングを一体に形成してもよい。
また、上記実施の形態では、位置決め部材を本体支持体に設け、係合部をソケット部に設けたが、位置決め部材をソケット部に設け、係合部を本体支持体に設けてもよい。
また、上記実施の形態では、スライド機構をアングル部の前面及び後面の両方に設けたが、前面及び後面の一方に設けてもよい。
また、上記実施の形態では、本発明を天井埋込型のダウンライトに適用した場合を示したが、これに限らず、例えばスポットライト等に本発明を適用してもよい。
【符号の説明】
【００３３】
１，１００  照明器具
２  天井
２Ａ  埋込穴
１０  枠体
１１  外枠
１２  内枠
２０，１２０  本体
２１  ランプ（光源）
３０，１３０  本体支持体
３３  ソケット部
３４  ソケット
３５  ソケット金具
５０，１５０  スライド機構
５１，１５１  ガイド
１２１  ＬＥＤ
Ｓ１  短軸
【図１】
0005545073.tif 000002
【図２】
0005545073.tif 000003
【図３】
0005545073.tif 000004
【図６】
0005545073.tif 000005
【図７】
0005545073.tif 000006
【図８】
0005545073.tif 000007
【図９】
0005545073.tif 000008
【図１０】
0005545073.tif 000009
【図１１】
0005545073.tif 000010
【図１２】
0005545073.tif 000011
【図１３】
0005545073.tif 000012
【図１４】
0005545073.tif 000013
【図１５】
0005545073.tif 000014
【図１６】
0005545073.tif 000015
【図１７】
0005545073.tif 000016
【図１８】
0005545073.tif 000017
【図４】
0005545073.tif 000018
【図５】
0005545073.tif 000019